(57)【要約】【課題】加湿機能を十分確保できるよう水噴霧式を採用しながら、噴霧された霧が再び水となって室内に垂れ落ちる危険性を有効に防止することができる新規な天井埋込型空調装置を提供する。【解決手段】空気が吸い込まれる吸込口４ｂと空気が吹き出される吹出口４ｃとを有するケース４と、このケース４内に設けられた熱交換器６及びファン５と、を備えた天井埋込型空調装置１であって、上記ケース４内には、上記ファン５の駆動により生ずる気流の経路途中に平均粒子径１５ミクロン以下の霧を噴霧する噴霧ノズル１０が配設され、この噴霧ノズル１０の配設位置は、該噴霧ノズル１０の先端と該噴霧ノズル１０からの霧の噴霧方向に位置する他の部材との距離Ｌが１５ｃｍ以上とされてなる。【選択図】  図１
2004226054.tif 000002
【特許請求の範囲】
【請求項１】
空気が吸い込まれる吸込口と空気が吹き出される吹出口とを有するケースと、このケース内に設けられた熱交換器及びファンと、を備えた天井埋込型空調装置であって、
上記ケース内には、上記ファンの駆動により生ずる気流の経路途中に平均粒子径１５ミクロン以下の霧を噴霧する噴霧ノズルが配設され、この噴霧ノズルの配設位置は、該噴霧ノズルの先端と該噴霧ノズルからの霧の噴霧方向に位置する他の部材との距離が１５ｃｍ以上とされてなることを特徴とする天井埋込型空調装置。
【請求項２】
前記ケースに形成された吸込口と上記噴霧ノズルとの間には空気が流通自在となされた遮音板が配設されてなることを特徴とする請求項１記載の天井埋込型空調装置。
【請求項３】
前記噴霧ノズルは湿度センサと接続され、この湿度センサにより所定の湿度よりも低いことが検出された場合には、前記ファンの駆動に連動して霧が噴霧されるように構成されてなることを特徴とする請求項１又は２記載の天井埋込型空調装置。
【請求項４】
前記遮音板は、全体に連続した多数の透孔が形成され、該透孔からケース内に空気が吸い込まれるように構成されてなるか、或いは、グラスウールを板状に成形されてなることを特徴とする請求項２又は３記載の天井埋込型空調装置。
【請求項５】
前記噴霧ノズルに供給される水は純水であることを特徴とする請求項１乃至４記載の天井埋込型空調装置。
【請求項６】
前記噴霧ノズルは、該噴霧ノズルに水又は純水を供給するとともに中途部には第１の開閉バルブが設けられた第１の導管と、該噴霧ノズルに圧縮空気を供給するとともに中途部には第２の開閉バルブが設けられた第２の導管とにそれぞれ接続されてなるとともに、上記噴霧ノズルからの霧の噴射の停止は、上記第１の開閉バルブを閉塞した後に上記第２の開閉バルブを閉塞するよう構成されてなることを特徴とする請求項１，２，３，４又は５記載の天井埋込型空調装置。
【発明の詳細な説明】
【０００１】
【発明が属する技術分野】
本発明は、例えば、事務所，ホテル，病院等の室内の空気を加熱及び／又は冷却する空調装置に関し、特に、天井埋込型の空調装置であるとともに加湿機能を備えた空調装置に関するものである。
【０００２】
【従来の技術】
空調装置により暖房運転がされている場合であっても、室内の空気が乾燥している（湿度が低下している）と、人体からの水分の蒸発により、暖かさは感じられない。また、人の健康管理上、相対温度５０％ＲＨ以下である場合には、風邪のウイルスが存在する可能性が高くなる。また、冬場における静電気も湿度が低下している場合に発生しやすく、また、コンタクトレンズを使用している者にとっては、空気の乾燥が目に与える悪影響は大きい。また、こうした湿度の低下は、暖房運転時ばかりではなく、冷房運転時においても、冷房運転時の除湿作用により室内の空気が乾燥し静電気の発生によりＯＡ機器の誤作動も発生する。したがって、室内における湿度は、上述した理由から適度に調整されていることが好ましく、一定の範囲においては、法律により所定の湿度とされていることが決められている。
【０００３】
【発明が解決しようとする課題】
ところで、こうした要請の中、室内を加湿する手段としては、蒸気式，気化式，水噴霧式の３つの方式に分けることができる。しかしながら、蒸気式では、ボイラ設備が必要であり一般の室内用空調装置には適さず、特に、天井埋込型空調装置においては、ケース内部の空間が狭いことから十分な加湿機能を保証できない。なお、天井埋込型の空調装置に、こうした蒸気式の加湿器を構成要素としたものとして、例えば、特開２００２−２６７２１５号公報に開示された空調装置が提案されているが、空調装置のコンパクト化に大きな支障を来たしている。また、上記気化式を採用する場合には、設備が複雑となるばかりではなく、暖房運転時においては、運転開始時から十分な湿度となるまでに時間がかかり、一方、冷房運転時のような低温域においては、気化効率が悪く、十分な湿度を確保することができない。したがって、暖房運転時においても冷房運転時においても、十分な加湿機能を期待できる方式は、水噴霧式であるが、その一方で、この水噴霧式を採用する場合には、空調装置内に部材に噴霧された霧が凝結し、再び水となって室内に垂れ落ちる危険性がある。
【０００４】
そこで、本発明は、上述した従来の天井埋込型空調装置が有する課題を解決するために提案されたものであって、加湿機能を十分確保できるよう水噴霧式を採用しながら、噴霧された霧が再び水となって室内に垂れ落ちる危険性を有効に防止することができる新規な天井埋込型空調装置を提供することを目的とするものである。
【０００５】
【課題を解決するための手段】
本発明は、上記目的を達成するために提案されたものであって、第１の発明（請求項１記載の発明）は、空気が吸い込まれる吸込口と空気が吹き出される吹出口とを有するケースと、このケース内に設けられた熱交換器及びファンと、を備えた天井埋込型空調装置であって、上記ケース内には、上記ファンの駆動により生ずる気流の経路途中に平均粒子径１５ミクロン以下の霧を噴霧する噴霧ノズルが配設され、この噴霧ノズルの配設位置は、該噴霧ノズルの先端と該噴霧ノズルからの霧の噴霧方向に位置する他の部材との距離が１５ｃｍ以上とされてなることを特徴とするものである。
【０００６】
この第１の発明では、ファンの駆動により生ずる気流の経路途中に霧を噴霧する噴霧ノズルが配設されてなることから、暖房運転時であると冷房運転時であるとを問わず、噴霧ノズルから霧が噴霧されることから、蒸気式や気化式の加湿手段に比べて効率良く所定の湿度とすることができる。特に、この第１の発明では、噴霧ノズルから噴霧される霧は、平均粒子径１５ミクロン以下とされているとともに、該噴霧ノズルの先端と該噴霧ノズルからの霧の噴霧方向に位置する他の部材との距離が１５ｃｍ以上とされてなることから、ケースの内部空間が極めて狭い天井埋込型空調装置であっても、噴霧された霧が再び水となって室内に垂れ落ちる危険性を有効に防止することができる。換言すれば、本発明は、上述した構成とされていることから、空調装置のケースを大型化することなく、従来の天井埋込型空調装置においてもケースの大きさを大型化するような設計変更の必要性がない。
【０００７】
なお、上記噴霧ノズルは、ケースの大型化を避けるとともに、噴霧された霧が再び水となって室内に垂れ落ちる危険性を有効に防止する点から、平均粒子径は可能な限り細かい（例えば、１０ミクロン以下）ことが好ましいが、さらに平均粒子径が細かい霧を噴霧する噴霧ノズルを採用することにより、該噴霧ノズルからの霧の噴霧時に騒音が発生する可能性が高い。したがって、噴霧ノズルから噴霧される霧の平均粒子径は、平均粒子径１５ミクロン以下とすることが好ましい。また、この噴霧ノズルの配設位置、とりわけ、該噴霧ノズルの先端と該噴霧ノズルからの霧の噴霧方向に位置する他の部材との距離は、上述のように、噴霧される霧の平均粒子径によって異なるが、この平均粒子径が細かい場合であっても、噴霧ノズルの先端と他の部材との距離が余り短い場合には、霧が他の部材に付着して再び水となる可能性が高いことから、少なくとも１５ｃｍ以上離間していることが好ましく、より霧が水となる可能性を避けるためには、装置内の部材に対して２０ｃｍ以上離間されていることが好ましい。なお、こうした他の部材との距離は、噴霧ノズルの先端と該噴霧ノズルからの霧の噴霧方向に位置する部材との距離であり、噴霧ノズルから放射方向に存在する部材との距離ではない。
【０００８】
また、第２の発明（請求項２記載の発明）は、上記第１の発明において、前記ケースに形成された吸込口と上記噴霧ノズルとの間には空気が流通自在となされた遮音板が配設されてなることを特徴とするものである。
【０００９】
この第２の発明では、ケースに形成された吸込口と上記噴霧ノズルとの間には遮音板が配設されてなることから、噴霧ノズルから生ずる騒音を効果的に遮音することができ、したがって、噴霧される霧の平均粒子径が細かい噴霧ノズルを構成要素とすることができる。しかも、この第２の発明を構成する遮音板は、ケースに形成された吸込口と上記噴霧ノズルとの間に配設されてなるとともに、空気が流通自在となされてなるものであることから、たとえ噴霧ノズルから又は装置内に設けられた部材から水滴がこの遮音板に落ちた場合であっても、この水滴は気化される可能性が高く、該遮音板から室内に落下する危険性を有効に防止することが可能となる。
【００１０】
なお、上述した遮音板は、例えば、グラスウールを板状に成形したものや、或いは、発泡ウレタン樹脂や発泡ポリエチレン樹脂のように、全体に多数の独立した気泡（細かい孔）が形成され、部分的に空気が吸い込まれる透孔が形成されたものであっても良いし、全体に連続した多数の透孔が形成され、該透孔からケース内に空気が吸い込まれるように構成されてなるものであっても良く、また、全体に多数の連続した透孔が形成され該透孔からケース内に空気が吸い込まれるようにされてなるもの、或いは、グラスウールを板状に成形したもの（請求項４記載の発明）であっても良い。こうした構成とされた遮音板を構成要素とすることにより、該遮音板の含水率を増加させることができるとともに、該遮音板に含まれた水を効果的に気化させることが可能となる。
【００１１】
また、第３の発明（請求項３記載の発明）は、上記第１又は第２の発明において、前記噴霧ノズルは湿度センサと接続され、この湿度センサにより所定の湿度よりも低いことが検出された場合には、前記ファンの駆動に連動して霧が噴霧されるように構成されてなることを特徴とするものである。
【００１２】
この第３の発明によれば、熱交換器が動作しない場合であっても、湿度センサにより所定の湿度よりも低いことが検出された場合には、ファンの駆動により噴霧ノズルから霧が噴霧されることから、室温が、例えば、摂氏約２０度付近であり、熱交換器が動作しない場合であっても、確実に湿度を高めることが可能となり、また、噴霧ノズルから霧が噴霧される場合には、必ずファンが駆動することから、水滴の発生を効果的に防止することができる。
【００１３】
また、第５の発明（請求項５記載の発明）は、上記第１，第２，第３又は第４の発明において、前記噴霧ノズルに供給される水は純水であることを特徴とするものである。
【００１４】
この第５の発明では、前記噴霧ノズルに供給される水は純水であることから、水道水に含まれるカルシウム等の不純物により、該噴霧ノズルに形成された微細な噴霧孔が詰まったり、或いは、その不純物が室内に拡散され、例えば、パーソナルコンピュータのモニター画面に付着する等の悪影響を有効に防止することができる。
【００１５】
また、第６の発明（請求項６記載の発明）は、上記第１，第２，第３，第４又は第５の何れかの発明において、前記噴霧ノズルは、該噴霧ノズルに水又は純水を供給するとともに中途部には第１の開閉バルブが設けられた第１の導管と、該噴霧ノズルに圧縮空気を供給するとともに中途部には第２の開閉バルブが設けられた第２の導管とにそれぞれ接続されてなるとともに、上記噴霧ノズルからの霧の噴射の停止は、上記第１の開閉バルブを閉塞した後に上記第２の開閉バルブを閉塞するよう構成されてなることを特徴とするものである。
【００１６】
この第６の発明では、記噴霧ノズルからの霧の噴射の停止は、上記第１の開閉バルブを閉塞した後に上記第２の開閉バルブを閉塞するよう構成されてなることから、第１の開閉バルブから噴霧ノズルまでの水又は純水は全て噴霧される。したがって、この第６の発明によれば、第１の開閉バルブから噴霧ノズルまでの水又は純水が腐り、又は、噴霧ノズルから第１の開閉バルブまでの第１の導管１１の腐食を有効に防止することが可能となる。
【００１７】
【発明の実施の形態】
以下、本発明の一実施の形態に係る天井埋込型空調装置について、図面を参照しながら詳細に説明する。
【００１８】
この実施の形態に係る天井埋込型空調装置（以下、空調装置と言う。）１は、図１に示すように、構造物のスラブ２の下方に設けられた天井ボード３に取り付けられてなるケース４と、このケース４に内蔵されてなる電動ファン５と、上記ケース４に内蔵され上記電動ファン５の側方に固定されてなる熱交換器６とを備えている。
【００１９】
上記ケース４は、合成樹脂により外形形状が略直方体に成形されてなるものであり、下面の周囲には、上面が上記天井ボード３の下面に密着されるフランジ部４ａが形成され、図２に示すように、下面中央には、室内の空気が吸い込まれる吸込口４ｂが形成され、この吸込口４ｂの周囲には、細長い４つの吹出口４ｃが形成されている。また、上記電動ファン５は、電動モータ７とこの電動モータ７の図示しない駆動軸に固定されてなるファン本体８とから構成され、このファン本体８は、上記吸込口４ｂの上方に位置している。また、この電動ファン５が内蔵された上記ケース４内は、上記吸込口４ｂと上記４つの吹出口４ｃとを仕切る４つの仕切り板部４ｄが形成され、この仕切り板部４ｄの上端側には、それぞれ上記熱交換器６が配設されている。これらの熱交換器６は、この空調装置１が設置される室内の気温を測定する図示しない温度センサによる室温の検出により冷房運転・暖房運転として駆動するよう構成されてなるものであり、それぞれ上記電動ファン５の側方に配設されている。また、これらの熱交換器６は、上記電動ファン５を構成するファン本体８の回転駆動により、上記吸込口４ｂからケース４内に流入した空気が上記４つの吹出口４ｃから外部に放出される空気経路の中途部に配設されている。なお、上記各熱交換器６の下方であって、上記仕切り板部４ｄの上端には、それぞれ該熱交換器６から発生する水滴を受けるドレインパン４ｅが形成されている。
【００２０】
そして、上記ケース４内であって、上記電動ファン５の下方には、噴霧ノズル１０が配設されている。この噴霧ノズル１０は、先端に図示しない噴霧孔が形成されてなるとともに、水（純水）が流入する第１の導管１１と、圧縮空気が流入する第２の導管１２とに接続されており、該第２の導管１２から流入した圧縮空気により第１の導管１１から内部に流入した純水が微細な霧となって上記噴霧孔から噴霧される、所謂２流体ノズルからなるものである。すなわち、この噴霧ノズル１０は、図３に示すように、ノズルボディー３０と、このノズルボディー３０の先端側から内部に挿入されてなるフルイドキャップ３１と、上記ノズルボディー３０内であってこのフルイドキャップ３１の外側に装着されたパッキン３２と、上記ノズルボディー３０の先端に装着されたエアーキャップ３３とを備えている。上記ノズルボディー３０の中心には、上記水（純水）が流入する第１の水流入管部３０ａと、圧縮空気が流入する空気流入管部３０ｂとが形成されている。上記第１の水流入管部３０ａは、上記第１の導管１１が接続される部位であり、上記空気流入管部３０ｂは、上記第２の導管１２が接続される部位である。また、上記フルイドキャップ３１は、上記第１の水流入管部３０ａ内に挿入された軸部３１ａを有し、この軸部３１ａの中心には、第２の水流入管部３１ｂが形成されている。なお、この第２の水流入管部３１ｂの先端側は小径化されている。また、このフルイドキャップ３１の先端側であって上記第２の水流入管部３１ｂの外周側には、空気が流入する第１の空気流入孔３１ｃが多数形成されている。また、上記パッキン３２は、ゴムによりリング状に成形されてなるとともに、上記軸部３１ａに外嵌挿されてなるものである。そして、このパッキン３２には、ノズルボディー３０に形成された上記空気流入管部３０ｂと、上記フルイドキャップ３１に形成された第１の空気流入孔３１ｃとにそれぞれ連通してなる第２の空気流入孔３２ａが形成されている。また、上記エアーキャップ３３の中心には、上記第２の水流入管部３１ｂに連通し、水（純水）が外部に噴射される噴霧孔３３ａが形成されている。なお、この噴霧孔３３ａは、エアーキャップ３３の先端側にかけて徐々に大径化されてなるものであり、該噴霧孔３３ａの周囲には、上記フルイドキャップ３１に形成された第１の空気流入孔３１ｃと該噴霧孔３３ａとに連通する第３の空気流入孔３３ｂが複数形成されている。したがって、２流体ノズルであるこの噴霧ノズル１０を構成する上記エアーキャップ３３の噴霧孔３３ａからは、上記ノズルボディー３０の第１の水流入管部３０ａ内に流入した水（純水）と、空気流入管部３０ｂから流入した圧縮空気とが混ざり合い、細かい霧となって放出される。なお、この実施の形態に係る空調装置１においては、この噴霧ノズル１０からは平均粒子径が約７〜１０ミクロンの超微霧が噴霧される。また、この実施の形態においては、上記噴霧ノズル１０は、図１に示すように、やや斜めから上記電動ファン５に噴霧されるように傾斜して固定されてなり、且つ、該噴霧ノズル１０の先端から噴霧方向に存在する該電動ファン５との距離Ｌが２０ｃｍ離間して固定されている。すなわち、上記噴霧ノズル１０の先端から２０ｃｍ以内には、上記電動ファン５を含めて何らの部材も存在しない。
【００２１】
そして、上記噴霧ノズル１０の下方には、遮音板１３が配設されている。この遮音板１３は、グラスウールを板状に成形されてなるものであって、上記吸込口４ｂを閉塞する面積に成形されてなるとともに、多数の微細な孔と、室内の空気がケース４内に流入する図示しない細長い開口が形成されている。
【００２２】
なお、上記ケース４内には、端子箱１５が内蔵され、この端子箱１５には、室内の壁板などに固定されこの空調装置１に主電源を供給するメインスイッチを備えたリモコンスイッチ１６に接続されている。また、この端子箱１５は、室外に設置された空調制御盤１７に電気的に接続されているとともに、上記電動ファン５にも電気的に接続されている。また、上記空調装置１が設置された室外には、上記空調制御盤１７に電気的に接続されてなるとともに、上記噴霧ノズル１０に前記第２の導管１２を介して接続された圧縮機（コンプレッサ）１８と、同じく上記空調制御盤１７に電気的に接続されてなるとともに、上記噴霧ノズル１０に前記第１の導管１１を介して接続された純水装置１９とが設置されている。なお、上記純水装置１９は、図示しない水道に接続されてなるとともに内部で純水を製造するものであり、上記噴霧ノズル１０との間には、該噴霧ノズル１０の取付位置よりも下方に設置された給水タンク２０が設けられている。また、上記空調装置１が設置された室内には、上記空調制御盤１７に電気的に接続され、この空調装置１が設置された室内の湿度を検出する湿度センサ２１が取り付けられている。なお、上記給水タンク２０と上記純水装置１９とを接続する第３の導管２２の中途部には、上記空調制御盤１７に電気的に接続された第１の電磁弁（第１の開閉バルブ）２２ａが設けられ、上記圧縮機１８と噴霧ノズル１０とを接続する上記第２の導管１２の中途部には、上記空調制御盤１７に電気的に接続された第２の電磁弁（第２の開閉バルブ）１２ａが設けられている。
【００２３】
したがって、上述した空調装置１によれば、使用者により上記リモコンスイッチ１６に設けられたメインスイッチがオン操作され、また、上記湿度センサ２１により所定の湿度以下であることが検出されると、上記空調制御盤１７を介して上記電動ファン５及び上記圧縮機１８が駆動を開始するとともに、上記第１及び第２の電磁弁２２ａ，１２ａが開放される。こうした動作により、上記噴霧ノズル１０の先端からは、平均粒子径が約７〜１０ミクロンの微霧が噴霧される。したがって、この空調装置１が設置された室内の空気は、上記電動ファン５の駆動により、吸込口４ｂからケース４内に流入し、上記噴霧ノズル１０の先端から噴霧された微霧と混合され気化した状態で上記熱交換器６を通過し、図２に示す矢印のように、４つの吹出口４ｃから偏ることなく室内に満遍なく放出される。なお、この実施の形態に係る空調装置１においては、前述した図示しない温度センサにより検出された温度に基づいて、室内が所定の低温（例えば、摂氏１８度以下）である場合には、暖房運転がなされ、上記熱交換器６を介して摂氏約３０度に加熱された空気が上記吹出口４ｃから放出され、室内が高温（例えば、摂氏３０度以上）である場合には、冷房運転がなされ、上記熱交換器６を介して摂氏約１８度に冷却された空気が上記吹出口４ｃから放出される。
【００２４】
そして、この実施の形態に係る空調装置１においては、上述したように、噴霧ノズル１０から霧が噴霧されている状態において、該噴霧ノズル１０の噴霧方向には、該噴霧ノズル１０とケース４内の他の部材との距離Ｌは、１５ｃｍ以上離間してなるとともに、この霧（微霧）は、電動ファン５によって攪拌され気化した状態で吹出口４ｃから室内に放出されることから、該噴霧ノズル１０から噴霧された微霧が、水滴となって室内に落下するおそれがない。また、上記噴霧ノズル１０に供給される水は、純水であることから、該噴霧ノズル１０の先端に形成された微細な孔が不純物により詰まったり、室内に不純物が拡散される危険性も有効に防止することができる。さらに、上記噴霧ノズル１０の下方には、吸込口４ｂを閉塞する遮音板１３が配設されてなることから、騒音が発生する噴霧ノズル１０を採用しても、その騒音はこの遮音板１３により遮音される。さらに、この遮音板１３は、上記噴霧ノズル１０の下方に配設されていることから、この噴霧ノズル１０又は上記仕切り板部４ｄ等のケース４内に存在する他の部材から、たとえ水滴が落下したとしても、この水滴はこの遮音板１３に受けられ室内に落下することがないとともに、この遮音板１３に受けられた水滴は、上記電動ファン５の駆動による気流によって気化される。したがって、この遮音板１３から室内に水滴が落下する危険性を有効に防止することができる。
【００２５】
なお、上述したように、上記噴霧ノズル１０から微霧が噴霧されている場合において、上記湿度センサ２１により、この空調装置１が設置された室内の湿度が所定の数値を満たしたことが検出されると、先ず、上記空調制御盤１７を介して、上記第１の電磁弁２２ａが閉塞され、この第１の電磁弁２２ａの閉塞時から所定の時間が経過した後（数分後）に、上記第２の電磁弁１２ａが閉塞される。この実施の形態に係る空調装置１においては、このように純水を噴霧ノズル１０に供給する導管（符号は省略する。）を開閉する第１の電磁弁２２ａを最初に閉塞し、次いで、圧縮空気を供給する導管を開閉する第２の電磁弁１２ａを閉塞することにより、該第１の電磁弁２２ａから噴霧ノズル１０までの純水（給水タンク２０内及び第１の導管１１内の純水）は全て噴霧される。したがって、こうした動作とすることにより、第１の電磁弁２２ａから噴霧ノズル１０までの純水が腐りや第１の導管１１の腐食を有効に防止することが可能となる。
【００２６】
なお、上述した実施の形態に係る空調装置１では、ケース４に４つの吹出口４ｃが形成されているが、本発明に係る空調装置は、このように必ずしも４つの吹出口が形成されている必要はなく、例えば、中央に形成された吸込口の左右両側にそれぞれ吹出口が形成されているものであっても良い。
【００２７】
【発明の効果】
上述した本発明の一実施の形態の説明からも明らかなように、本発明（請求項１記載の発明）では、ファンの駆動により生ずる気流の経路途中に霧を噴霧する噴霧ノズルが配設されてなることから、暖房運転時であると冷房運転時であるとを問わず、噴霧ノズルから霧が噴霧されることから、蒸気式や気化式の加湿手段に比べて効率良く所定の湿度とすることができる。特に、この第１の発明では、噴霧ノズルから噴霧される霧は、平均粒子径１５ミクロン以下とされているとともに、該噴霧ノズルの先端と該噴霧ノズルからの霧の噴霧方向に位置する他の部材との距離が１５ｃｍ以上とされてなることから、ケースの内部空間が極めて狭い天井埋込型空調装置であっても、噴霧された霧が再び水となって室内に垂れ落ちる危険性を有効に防止することができる。換言すれば、本発明は、上述した構成とされていることから、空調装置のケースを大型化することなく、従来の天井埋込型空調装置においてもケースの大きさを大型化するような設計変更の必要性がない。
【００２８】
また、第２の発明（請求項２記載の発明）では、ケースに形成された吸込口と上記噴霧ノズルとの間には遮音板が配設されてなることから、噴霧ノズルから生ずる騒音を効果的に遮音することができ、したがって、噴霧される霧の平均粒子径が細かい噴霧ノズルを構成要素とすることができる。しかも、この第２の発明を構成する遮音板は、ケースに形成された吸込口と上記噴霧ノズルとの間に配設されてなるとともに、空気が流通自在となされてなるものであることから、たとえ噴霧ノズルから又は装置内に設けられた部材から水滴がこの遮音板に落ちた場合であっても、この水滴は気化される可能性が高く、該遮音板から室内に落下する危険性を有効に防止することが可能となる。
【００２９】
また、第３の発明（請求項３記載の発明）によれば、熱交換器が動作しない場合であっても、湿度センサにより所定の湿度よりも低いことが検出された場合には、ファンの駆動により噴霧ノズルから霧が噴霧されることから、室温が、例えば、摂氏約２０度付近であり、熱交換器が動作しない場合であっても、確実に湿度を高めることが可能となり、また、噴霧ノズルから霧が噴霧される場合には、必ずファンが駆動することから、水滴の発生を効果的に防止することができる。
【００３０】
また、第４の発明（請求項４記載の発明）によれば、遮音板の含水率を増加させることができるとともに、該遮音板に含まれた水を効果的に気化させることが可能となり、この遮音板から水滴が室内に落下する危険性を有効に防止することができる。
【００３１】
また、第５の発明（請求項５記載の発明）では、前記噴霧ノズルに供給される水は純水であることから、水道水に含まれるカルシウム等の不純物により、該噴霧ノズルに形成された微細な噴霧孔が詰まったり、或いは、その不純物が室内に拡散され、例えば、パーソナルコンピュータのモニター画面に付着する等の悪影響を有効に防止することができる。
【００３２】
また、第６の発明（請求項６記載の発明）では、記噴霧ノズルからの霧の噴射の停止は、上記第１の開閉バルブを閉塞した後に上記第２の開閉バルブを閉塞するよう構成されてなることから、第１の開閉バルブから噴霧ノズルまでの水又は純水は全て噴霧される。したがって、この第６の発明によれば、第１の開閉バルブから噴霧ノズルまでの水又は純水が腐り、又は、噴霧ノズルから第１の開閉バルブまでの第１の導管の腐食を有効に防止することが可能となる。
【図面の簡単な説明】
【図１】本発明の実施の形態に係る天井埋込型空調装置を示す側断面図である。
【図２】図１に示す天井埋込型空調装置の底面図である。
【図３】噴霧ノズルを示す断面図である。
【符号の説明】
１    天井埋込型空調装置
４    ケース
４ｂ    吸込口
４ｃ    吹出口
５    電動ファン
６    熱交換器
１０    噴霧ノズル
１１    第１の導管
１２    第２の導管
１２ａ    第２の電磁バルブ
１３    遮音板
２２ａ    第１の電磁バルブ
【図１】
2004226054.tif 000003
【図２】
2004226054.tif 000004
【図３】
2004226054.tif 000005